(57)【特許請求の範囲】
【請求項１】
絶縁操作棒と該絶縁操作棒の先端部に取り付けられる先端工具との接続を補助する絶縁操作棒用接続補助具であって、
第１の棒状部材の一端部に、前記絶縁操作棒又は該絶縁操作棒に取り付けられた器具と連結する第１の連結構造部が設けられてなる操作棒側連結部と、
第２の棒状部材の一端部に、前記先端工具又は該先端工具に取り付けられた器具と連結する第２の連結構造部が設けられてなる先端工具側連結部と、
前記第１の棒状部材と前記第２の棒状部材とを、該第１の棒状部材と該第２の棒状部材とのなす角度を変化可能に連結させる連結手段と、
を具備し、
前記連結手段は、
凸部又は凹部が複数形成された球状体と、
前記球状体に形成された前記凸部又は前記凹部と嵌合可能な凹部又は凸部が複数形成された受け皿部材と、
前記球状体又は前記受け皿部材の少なくとも一方を、使用者の操作により変位可能にする変位手段と、
を有して構成されることを特徴とする絶縁操作棒用接続補助具。
【請求項２】
前記第１の棒状部材及び前記第２の棒状部材の少なくとも一方に、径の異なる複数の筒状部材が入れ子状に配されて構成される伸縮手段を有することを特徴とする請求項１記載の絶縁操作棒用接続補助具。
【請求項３】
前記第１の連結構造部及び前記第２の連結構造部の少なくとも一方が、菊座構造であることを特徴とする請求項１又は２に記載の絶縁操作棒用接続補助具。
【請求項４】
前記第１の連結構造部及び前記第２の連結構造部の少なくとも一方が、ツイストロック式の構造であることを特徴とする請求項１〜３のいずれか１つに記載の絶縁操作棒用接続補助具。
【発明の詳細な説明】
【技術分野】
【０００１】
本発明は、高圧線の間接活線作業等において使用される絶縁操作棒と、該絶縁操作棒の先端に取り付けられる先端工具との接続を補助するための道具に関する。
【背景技術】
【０００２】
高圧線に作業員が直接接触しないで行われる間接活線作業においては、絶縁操作棒の先端に、作業目的に応じた先端工具、例えば切断工具、把持工具、ボルト締結工具、菊座アダプタ等を取り付け、この絶縁操作棒を用いた作業が行われる。高圧線工事等における作業状況は、建物の形状、障害物等により、様々に変化するものであり、作業員にはそのような変化に対してそれぞれに対処が求められている。特に絶縁操作棒等を用いて行われる間接活線作業においては、その対応が困難な場合が多い。
【０００３】
上記のような状況から、絶縁操作棒の操作性を向上させることが求められており、このような目的に沿った従来発明として、次のようなものが開示されている。この従来発明に係る工具は、その上端部に、共用絶縁操作棒の金口に結合できる連結金具を設けた短尺の筒体の下端に水平方向に進退可能なハンドル部材を固定すると共に、前記短尺の筒体に空回り可能な握り部材を該握り部材が前記短尺の筒体から離脱しないように装着してなるものであり、これによりハンドル部材を回転させることにより共用絶縁操作棒を回転可能にし、また回転トルクや回転スピードを変化させることができるとされるものである（特許文献１参照）。
【０００４】
また、図９において、一般的な絶縁操作棒２及び菊座アダプタ３の構造が示されている。菊座アダプタ３は、先端工具の一つであり、図１０に示すように、絶縁操作棒２と他の先端工具２００との間に配されて、その固定角度を調節可能にするものである。図９に示すように、共有操作棒２の上端部に設けられた取付部５と菊座アダプタ３の下端部に設けられた取付凹部１１とが連結することにより、互いに連結される（同図において示すのは、一般的にツイストロック式と称される構造である）。
【特許文献１】特開２００５−２４５１１１号公報
【発明の開示】
【発明が解決しようとする課題】
【０００５】
しかしながら、上記従来構造においては、図１０に示すように、絶縁操作棒２に対する先端工具２００の固定角度を、菊座構造部１５の円周角方向（二点鎖線Ｋ，Ｋ'参照）にしか調整できず、様々な作業状況に対して十分に対応できるものではなかった。
【０００６】
そこで、本発明は、絶縁操作棒と先端工具との連結状態をより自由に調節することができる器具を提供することを目的とするものである。
【課題を解決するための手段】
【０００７】
上記目的の達成を図る本発明は、絶縁操作棒と該絶縁操作棒の先端部に取り付けられる先端工具との接続を補助する絶縁操作棒用接続補助具であって、第１の棒状部材の一端部に、前記絶縁操作棒又は該絶縁操作棒に取り付けられた器具と連結する第１の連結構造部が設けられてなる操作棒側連結部と、第２の棒状部材の一端部に、前記先端工具又は該先端工具に取り付けられた器具と連結する第２の連結構造部が設けられてなる先端工具側連結部と、前記第１の棒状部材と前記第２の棒状部材とを、該第１の棒状部材と該第２の棒状部材とのなす角度を変化可能に連結させる連結手段と、を具備し、前記連結手段は、凸部又は凹部が複数形成された球状体と、前記球状体に形成された前記凸部又は前記凹部と嵌合可能な凹部又は凸部が複数形成された受け皿部材と、前記球状体又は前記受け皿部材の少なくとも一方を、使用者の操作により変位可能にする変位手段と、を有して構成されることを特徴としている。
【０００８】
上記構成によれば、絶縁操作棒と先端工具との間に本願の絶縁操作棒用接続補助具（以下、接続補助具と略記する）を介在させることにより、絶縁操作棒と先端工具との連結状態を自由に調節することができ、様々な状況に対応して間接活線作業を行うことが可能となる。
【０００９】
また、前記連結手段は、凸部又は凹部が複数形成された球状体と、前記球状体に形成された前記凸部又は前記凹部と嵌合可能な凹部又は凸部が複数形成された受け皿部材と、前記球状体又は前記受け皿部材の少なくとも一方を、使用者の操作により変位可能にする変位手段とを有して構成されているので、例えば図２（ａ），（ｂ）に示すように、第１の棒状部材２６（操作棒側連結部２０）と第２の棒状部材３１（先端工具側連結部２１）とが、凸部５５の形成された球状体５４と凹部５１の形成された受け皿部材４６とからなる関節のような機構によって、任意の固定角度をもって固定することが可能となる。
【００１０】
この構造により、図４（ａ），（ｂ）に示すように、先端工具側連結部２１はその軸が円を描くように、且つ同軸上で回転するようにその固定角度を調節することができるようになる。
【００１１】
また、上記の構成において、前記第１の棒状部材及び前記第２の棒状部材の少なくとも一方に、径の異なる複数の筒状部材が入れ子状に配されて構成される伸縮手段を設けてもよい。
【００１２】
これにより、接続補助具自体の長さを調節することができるので、更に自由に連結状態を調節することができるようになる。
【００１３】
また、上記の構成において、前記第１の連結構造部及び前記第２の連結構造部の少なくとも一方が、菊座構造であることが好ましい。
【００１４】
この構成によれば、絶縁操作棒と先端工具との固定角度を極めて自由に調節することが可能となる。即ち、図３に示すように、絶縁操作棒２の先端に取り付けられた公知の菊座アダプタ３等の菊座構造部１５と、本願の接続補助具１の第１の菊座構造部２５とが連結されることによって、二点鎖線Ｈ，Ｈ'で示すように、これら菊座構造部１５，２５の円周角方向への角度調節が可能となり、また上記連結手段３５によって、二点鎖線Ｉ，Ｉ'で示すように、第１の棒状部材２６と第２の棒状部材３１とのなす角度が調節可能となり、更に第２の棒状部材３１先端の第２の菊座構造部２９と、先端工具６５に取り付けられた菊座構造部６６との連結によって、二点鎖線Ｊ，Ｊ'で示すように、これら菊座構造部２９，６６の円周角方向への角度調節が可能となる。
【００１５】
また、上記の構成において、前記第１の連結構造部及び前記第２の連結構造部の少なくとも一方が、ツイストロック式の構造であってもよい。
【００１６】
この構成によれば、本願の接続補助具を絶縁操作棒に直接取り付けることが可能となり、また本願の接続補助具と先端工具との間に、更に菊座アダプタ等の器具を介在させることが可能となる。
【発明の効果】
【００１７】
以上のように、本発明によれば、絶縁操作棒と先端工具との連結状態を、極めて自由に調節することができ、作業現場の様々な状況に対応することが可能となる。
【発明を実施するための最良の形態】
【００１８】
以下、添付した図面を参照して本発明の実施例を説明する。尚、異なる実施例において同一又は同様の作用効果を奏する箇所についてはその説明を省略する。
【実施例１】
【００１９】
図１において、本実施例に係る絶縁操作棒用接続補助具（以下、接続補助具と略記する）１が示されている。この接続補助具１は、絶縁操作棒２の先端に取り付けられた菊座アダプタ３（図６参照）に連結されて使用される。通常、菊座アダプタ３先端の菊座構造部１５には、作業目的に応じた工具、例えば切断工具、把持工具、ボルト締結工具等が接続されるのであるが、本発明に係る接続補助具１は、この菊座アダプタ３と他の先端工具との間に配され、この先端工具の固定角度等を任意に調整できるようにするものである。
【００２０】
絶縁操作棒２の先端には、図１及び図６に示すように、取付部５が設けられている。この取付部５は、円柱部６と、該円柱部６から外方へ延出された凸状部７と、絶縁操作棒２のロッド部８と円柱部６との間に形成された螺条部９と、該螺条部９に螺合された回転部１０とを有して構成されている。
【００２１】
一方、菊座アダプタ３の下端部には、前記取付部５を受け入れる取付凹部１１が設けられている。この取付凹部１１は、図６に示すように、前記円柱部６と嵌合する内径部１２と、前記凸状部７が挿通されるスリット部１３と、該スリット部１３と連通し前記凸状部７が係止される係止部１４とを有して構成されている。また、菊座アダプタ３の上端部には、菊座構造部１５が形成されており、この菊座構造部１５は、平面視略円形状の縁周に沿って形成された複数の突起１６と、円形の中心部に配された蝶螺子１７とを有して構成されている。
【００２２】
上記構成の絶縁操作棒２と菊座アダプタ３とを接続する際には、凸状部７がスリット部１３内を垂直方向に進行するように円柱部６を内径部１２に挿通させた後、凸状部７がスリット部１３内を平行方向に進行するように絶縁操作棒２又は菊座アダプタ３を一方向に回転（ツイスト）させ、凸状部７を係止部１４に係止させ、次いで回転部１０を回して上方へ移動させて菊座アダプタ３の下端面に該回転部１０を当接させる。
【００２３】
接続補助具１は、前記菊座アダプタ３の菊座構造部１５と連結する操作棒側連結部２０と、所定の先端工具と連結する先端工具側連結部２１とから構成される。
【００２４】
操作棒側連結部２０は、菊座構造部２５、ロッド部２６、ロック手段２７を有して構成され、先端工具側連結部２１は、菊座構造部２９、ロッド部３４を有して構成されており、これら操作棒側連結部２０と先端工具側連結部２１とは、連結手段３５によって連結されている。
【００２５】
操作棒側連結部２０の菊座構造部２５は、前記菊座アダプタ３の菊座構造部１５と噛合可能な構造であり、図１において裏面側に凸となる複数の凸部３０を有し、またその中心部には菊座アダプタ３の蝶螺子１７が螺合する螺条棒１８が挿通される穴３１が穿設されている。
【００２６】
操作棒側連結部２０のロッド部２６は、その一端側に前記菊座構造部２５が形成されており、他端側に後述する連結手段３５が連結されている。また、このロッド部２６の中間部には、連結手段３５と連動するロック手段２７の回転部２８が配置されている。
【００２７】
先端工具側連結部２１の菊座構造部２９は、所定の先端工具に連結された菊座構造部と噛合する部分であり、図１において表面側に凸となる複数の凸部３２を有し、その中心部に穴３３が形成されている。
【００２８】
先端工具側連結部２１のロッド部３４は、その一端側に前記菊座構造部２９が形成され、他端側に後述する連結手段３５が連結されている。
【００２９】
図２（ａ），（ｂ）において、連結手段３５の構造が示されている。この型連結手段３５は、操作棒側連結部２０の端部に設けられた操作棒側構造部４０と、先端工具側連結部２１の端部に設けられた先端工具側構造部４１とから構成される。
【００３０】
操作棒側構造部４０は、筒状体４４、スライドロッド４５、受け皿部材４６を有して構成される。筒状体４４は、操作棒側連結部２０のロッド部材２６の端部に固定されている。このロッド部材２６は、筒状体であり、その端部の開口部５０が筒状体４４の内部と連通している。スライドロッド４５は、ロッド部材２６の内部にスライド可能に挿入されており、開口部５０から筒状体４４の内部に延出している。また、このスライドロッド４５は、ロッド部材２６の内部で周知の螺条構造を介してロック手段２７の回転部２８と連結されており、回転部２８を矢印Ａのように回転させることにより、矢印Ｂのように進退するようになされている。受け皿部材４６は、スライドロッド４５の端部に固定されており、球状部５４に対して凹む形状の曲面を有すると共に、該曲面に複数の凹部５１が形成されている。
【００３１】
先端工具側構造部４１は、筒状体５３、球状体５４を有して構成される。先端工具側連結部２１のロッド部材３１の先端に球状体５４が一体に形成されており、該球状体５４には、複数の凸部５５が形成されている。筒状体５３は、この球状体５４を内部に収容するようにロッド部材３１の端部に配される。筒状体５３のロッド部材３１側の開口部５６の径は、ロッド部材３１よりも大きく、且つ球状体５４よりも小さく形成されている。これにより、筒状体５３は自由度を保ってロッド部材３１及び球状体５４に保持された状態となる。
【００３２】
尚、図２（ａ），（ｂ）においては、２つの筒状体４４，５３が離れた状態で描かれているが、これは説明の便宜を図るためであり、完成品においては両筒状体４４，５３は溶接等によって連結され固定された状態となる。
【００３３】
上記構成によれば、ロック手段２７の回転部２８を回転させて受け皿部材４６を球状体５４側にスライドさせ、受け皿部材４６と球状体５４とを圧接させることにより、受け皿部材４６の凹部５１と球状体５４の凸部５５とが嵌合し、操作棒側連結部２０（ロッド部材２６）と先端工具側連結部２１（ロッド部材３１）との固定角度が決まる。
【００３４】
また、上記構成によれば、図３に示すように、菊座アダプタ３の菊座構造部１５と接続補助具１の操作棒側連結部２０の菊座構造部２５との接続により、二点鎖線Ｈ，Ｈ'に示すように、絶縁操作棒２に対する操作棒側連結部２０の固定角度を調節することができる。また、上記連結手段３５の作用により、二点鎖線Ｉ，Ｉ'に示すように、先端工具側連結部２１のロッド部３１の固定角度を、操作棒側連結部２０のロッド部２６に対して調節することができる。更に、先端工具側連結部２１の菊座構造部２９と先端工具６５の菊座構造部６６との接続により、二点鎖線Ｊ，Ｊ'に示すように、先端工具側連結部２１に対する先端工具６５の固定角度を調節することができる。更にまた、図４（ａ），（ｂ）（図３を右側面からみた時の先端工具側連結部２１の動きを示した図）に示すように、先端工具側連結部２１は、その軸が円を描くように（図４（ａ）参照）、且つ同軸上で回転するように（図４（ｂ）参照）、その固定角度を調節することができる。
【００３５】
上記のように、本構成によれば、絶縁操作棒２に対する先端工具６５の固定角度を、極めて自由に決定することができるので、様々な作業状況に対応して作業性を向上させることができる。
【実施例２】
【００３６】
図５に示す本実施例に係る接続補助具５１は、上記実施例１の構造に加え、操作棒側連結部６０のロッド部材６６及び先端工具側連結部６１のロッド部材７１のそれぞれに、伸縮機構７５，７６が設けられたものである。この伸縮機構７５，７６は、径の異なる複数の筒状部材が入れ子状に配された、例えば携帯用の望遠鏡や釣り竿等に用いられる周知のテレスコピック機構が用いられる。この伸縮機構７５，７６により、上記実施例１の構造よりも更に利便性を向上させることができる。
【実施例３】
【００３７】
図６に示す本実施例に係る接続補助具８１は、上記実施例２の構造と比して、操作棒側連結部９０のロッド部材９６の端部に、上記菊座構造部２５に替えて、取付凹部１０５が設けられているものである。この取付凹部１０５は、上記実施例１の説明において記述した菊座アダプタ３の下端部に設けられた取付凹部１１と同様の構造及び作用を有するものであり、絶縁操作棒２の先端部に設けられた取付部５の柱状部６（図９参照）が嵌合する内径部１０６、取付部５の凸状部７が挿通されるスリット部１０７、該スリット部１０７と連通し前記凸状部７が係止される係止部１０８とを有して構成される。この構造により、絶縁操作棒２に直接操作棒側連結部２を取り付けることができる。
【実施例４】
【００３８】
図７に示す本実施例に係る接続補助具１１１は、上記実施例２の構造と比して、先端工具側連結部１２１のロッド部材１３１の端部に、上記菊座構造部２９に替えて、取付部１３５が設けられているものである。この取付部１３５は、上記実施例１の説明において記述した絶縁操作棒２の先端部に設けられた取付部５と同様の構造及び作用を有するものであり、上述した柱状部１３６、凸状部１３７、螺条部１３８、回転部１３９を有して構成される。この構造により、先端工具側連結部１２１に、例えば上記菊座アダプタ３等の先端工具を取り付けることができる。
【実施例５】
【００３９】
図８に示す本実施例に係る接続補助具１４１は、上記実施例２と比して、操作棒側連結部１５０のロッド部材１５６の端部に、上記菊座構造部２５に替えて、取付凹部１０５が設けられると共に、先端工具側連結部１５１のロッド部材１６１の端部に、上記菊座構造部２９に替えて、取付部１３５が設けられているものである。この構造により、絶縁操作棒２に直接操作棒側連結部１５０を取り付け、また先端工具側連結部１５１に例えば上記菊座アダプタ３等の先端工具を取り付けることができる。
【図面の簡単な説明】
【００４０】
【図１】本発明の実施例１に係る絶縁操作棒用接続補助具の構成及び使用例を示す図である。
【図２】（ａ），（ｂ）は、実施例１に係る絶縁操作棒用接続補助具の連結手段の構造示す図である。
【図３】実施例１に係る絶縁操作棒用接続補助具により調節可能となる部分を示す図である。
【図４】（ａ），（ｂ）は、実施例１に係る先端工具連結部の可動範囲を示す図である。
【図５】本発明の実施例２に係る絶縁操作棒用接続補助具の構成を示す図である。
【図６】本発明の実施例３に係る絶縁操作棒用接続補助具の構成を示す図である。
【図７】本発明の実施例４に係る絶縁操作棒用接続補助具の構成を示す図である。
【図８】本発明の実施例５に係る絶縁操作棒用接続補助具の構成を示す図である。
【図９】絶縁操作棒及び菊座アダプタの構造及び接続状態を示す図である。
【図１０】従来構造における菊座アダプタと先端工具との接続において、調節可能な部分を示す図である。
【符号の説明】
【００４１】
１，５１，８１，１１１，１４１  （絶縁操作棒用）接続補助具
２  絶縁操作棒
３  菊座アダプタ
２０，６０，９０，１２０，１５０  操作棒側連結部
２１，６１，９１，１２１，１５１  先端工具側連結部
１５，２５，２９  菊座構造部
２６，３４，６６，７１，９６，１０１，１２６，１３１，１５６，１６１  ロッド部
２７  ロック手段
２８  回転部
３５  連結手段
４４，５３  筒状部
４５  スライドロッド
４６  受け皿部材
５１  凹部
５４  球状体
５５  凸部
７５，７６  伸縮手段
【図１】
0005100269.tif 000002
【図２】
0005100269.tif 000003
【図３】
0005100269.tif 000004
【図４】
0005100269.tif 000005
【図５】
0005100269.tif 000006
【図６】
0005100269.tif 000007
【図７】
0005100269.tif 000008
【図８】
0005100269.tif 000009
【図９】
0005100269.tif 000010
【図１０】
0005100269.tif 000011